【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
製品流を生成するために、触媒の存在下で反応器容積を有する反応器内で行う液化炭化水素供給原料の水素化脱硫のための最適な運転条件を選択する方法において、
複数の最初の液化炭化水素供給原料を蒸留して生成される複数の液化炭化水素供給原料のカルバゾール含量を測定するステップと、
前記複数の液化炭化水素供給原料のそれぞれの測定された前記カルバゾール含量を含むデータベースを生成するステップと、
生成された前記データベースから、前記反応器に導入する第１液化炭化水素供給原料を選択するステップと
前記第１液化炭化水素供給原料から前記反応器内で生成された第１製品流の所望の硫黄含量を選択するステップと、
前記第１液化炭化水素供給原料の測定された前記カルバゾール含量に基づいて前記第１液化炭化水素供給原料の反応次数を算出するステップであって、前記反応次数を算出するステップが前記データベース内の測定された最大カルバゾール含量を決定するステップを含み、前記第１液化炭化水素供給原料の前記反応次数が以下の方程式を使用して算出され：
【数２】
2018519371.tif 000001
ｎは反応次数であり、Ncarbazolesは前記第１液化炭化水素供給原料の前記カルバゾール含量であり、Ncarbazoles-maxは前記データベース内の前記測定された最大カルバゾール含量であるステップと、
算出された前記反応次数に基づいて運転深刻度指数を算出するステップとを備え、
前記運転深刻度指数は、前記第１液化炭化水素供給原料から前記所望の硫黄含量を備えた前記第１製品流を生成するための前記反応器の運転温度で構成され、前記運転深刻度指数が以下の方程式：
【数３】
2018519371.tif 000002
【数４】
2018519371.tif 000003
を使用して算出され、LHSVは液空間速度であり、nは前記第１液化炭化水素供給原料の反応次数であり、SFeedは前記第１液化炭化水素供給原料の硫黄含量であり、SProductは前記第１製品流の前記所望の硫黄含量であり、kはn次反応速度定数であり、HPPは水素分圧であり、Catageは触媒寿命であり、Aは頻度因子であり、[Ea]は活性化エネルギーであり、bは水素分圧依存性であり、cは触媒不活性化因子であり、Rは一般気体定数であり、Tは前記反応器の温度である方法。
【請求項２】
前記第１液化炭化水素原料および前記複数の液化炭化水素供給原料の両方が、原油の蒸留により生成された軽油流で構成される請求項１に記載の方法。
【請求項３】
前記反応器がディーゼル水素化処理装置で構成され、前記第１液化炭化水素供給原料が軽油流で構成され、前記製品流がディーゼル油で構成される請求項１に記載の方法。
【請求項４】
第１液化炭化水素流が、原油、中間精製蒸留流またはこれらの組み合わせのうちの少なくとも１つから生成される請求項１に記載の方法。
【請求項５】
前記触媒が、少なくとも１つの第８属金属および少なくとも１つの第６属金属を含む請求項１に記載の方法。
【請求項６】
前記触媒の総重量に基づいて、前記第８属金属の量は約1重量%から約30重量%であり、前記第６属金属の量は約1重量%から約30重量%である請求項５に記載の方法。
【請求項７】
前記第１液化炭化水素供給原料が、約150℃から約400℃の沸点範囲を有する請求項１に記載の方法。
【請求項８】
前記第１液化炭化水素供給原料が、約10ppmから約40,000ppmの硫黄を含む請求項１に記載の方法。
【請求項９】
前記第１液化炭化水素供給原料が、約1ppmから約4,000ppmのカルバゾール含量を有する請求項１に記載の方法。
【請求項１０】
前記第１液化炭化水素供給原料が、前記第１液化炭化水素供給原料の総重量に基づいて、約0.1重量%から約80重量%の芳香族を含む請求項１に記載の方法。
【請求項１１】
少なくとも前記第１製品流と実質的に同じ選択された前記硫黄含量を有する第２製品流を形成するために前記反応器に導入する第２液化炭化水素供給原料を選択するステップと、
前記第２液化炭化水素供給原料のカルバゾール含量を測定するステップと、
前記第２液化炭化水素供給原料の測定された前記カルバゾール含量に基づいて前記第２液化炭化水素供給原料の反応次数を算出するステップと、
前記第２製品流の選択された前記硫黄含量に基づいて前記第２液化炭化水素原料の運転深刻度指数を算出するステップとをさらに備え、前記運転深刻度指数は、前記第２液化炭化水素供給原料から所望の前記硫黄含量を備えた前記第２製品流を生成するための前記反応器の運転温度で構成される請求項１に記載の方法。
【請求項１２】
製品流を生成するために触媒の存在下で反応器容積を有する水素化脱硫装置の反応器における液化炭化水素供給原料の水素化脱硫のために最適な運転条件で水素化脱硫装置を運転する方法において、
複数の最初の液化炭化水素供給原料を蒸留して生成される複数の液化炭化水素供給原料のカルバゾール含量を測定するステップと、
前期複数の液化炭化水素供給原料のそれぞれの測定された前記カルバゾール含量を含むデータベースを生成するステップと、
第１液化炭化水素供給原料から生成される第１製品流の予め選択された第１硫黄含量を生成するために、第１運転温度を含む第１運転条件セットの下で運転する前記反応器に導入する第１液化炭化水素供給原料を、生成された前記データベースから選択するステップと、
少なくとも前記予め選択された第１硫黄含量と実質的に同じ硫黄含量を有する第２製品流を形成するために、前記反応器に導入する第２液化炭化水素供給原料を選択するステップと、
前記第２液化炭化水素供給原料のカルバゾール含量および硫黄含量を測定するステップと、
測定された前記第２液化炭化水素供給原料の前記カルバゾール含量に基づいて、前記第２液化炭化水素供給原料の反応次数を算出するステップであって、前記反応次数を算出するステップが前記データベース内の測定された最大カルバゾール含量を決定するステップを含み、前記第２液化炭化水素供給原料の前記反応次数が以下の方程式を使用して算出され：
【数２】
2018519371.tif 000004
ｎは反応次数であり、Ncarbazolesは前記第２液化炭化水素供給原料の前記カルバゾール含量であり、Ncarbazoles-maxは前記データベース内の前記測定された最大カルバゾール含量であるステップと、
前記製品流の選択された硫黄含量に基づいて、前記第２液化炭化水素供給原料の運転深刻度指数を算出するステップであって、少なくとも前記予め選択された第１硫黄含量と実質的に同じ硫黄含量を有する前記第２製品流を生成するために前記運転深刻度指数が前記反応器の第２運転温度で構成され、前記運転深刻度指数が以下の方程式：
【数３】
2018519371.tif 000005
【数４】
2018519371.tif 000006
を使用して算出され、LHSVは液空間速度であり、nは前記第２液化炭化水素供給原料の反応次数であり、SFeedは前記第２液化炭化水素供給原料の硫黄含量であり、SProductは前記第１製品流の前記予め選択された第１硫黄含量であり、kはn次反応速度定数であり、HPPは水素分圧であり、Catageは触媒寿命であり、Aは頻度因子であり、[Ea]は活性化エネルギーであり、bは水素分圧依存性であり、cは触媒不活性化因子であり、Rは一般気体定数であり、Tは前記反応器の温度であるステップと、
前記第２液化炭化水素供給原料を前記反応器に運ぶ前に、前記第１運転温度から前記第２運転温度に前記反応器の運転温度を調整するステップと
を備える方法。
【請求項１３】
前記第１および第２液化炭化水素原料と、前記複数の液化炭化水素供給原料との両方が、原油の蒸留により生成された軽油流で構成される請求項１２に記載の方法。
【請求項１４】
前記反応器がディーゼル水素化処理装置で構成され、前記第１および第２液化炭化水素供給原料が軽油流で構成され、前記製品流がディーゼル油で構成される請求項１２に記載の方法。
【請求項１５】
第１および第２液化炭化水素流が、原油、中間精製蒸留流またはこれらの組み合わせのうちの少なくとも１つから生成される請求項１４に記載の方法。
【請求項１６】
前記触媒が、少なくとも１つの第８属金属および少なくとも１つの第６属金属を含む請求項１２に記載の方法。
【請求項１７】
前記触媒の総重量に基づいて、前記第８属金属の量は約1重量%から約30重量%であり、前記第６属金属の量は約1重量%から約30重量%である請求項１６に記載の方法。
【請求項１８】
前記第１および第２液化炭化水素供給原料が、約150℃から約400℃の沸点範囲を有する請求項１２に記載の方法。
【請求項１９】
前記第１および第２液化炭化水素供給原料が、約10ppmから約40,000ppmの硫黄を含む請求項１２に記載の方法。
【請求項２０】
前記第１および第２液化炭化水素供給原料が、約1ppmから約4,000ppmのカルバゾール含量を有する請求項１２に記載の方法。
【請求項２１】
前記第１および第２液化炭化水素供給原料が、それぞれ各液化炭化水素供給原料の総重量に基づいて、約0.1重量%から約80重量%の芳香族を含む請求項１２に記載の方法。